(57)【要約】【課題】製本印刷を行う場合に、印刷用紙の選別作業を必要とせず、印刷物の見栄えを損なわずにフラッシングを行うことができるノズルフラッシング支援システムを提供する。【解決手段】インクジェットプリンタ１００は、裁断情報を含むジョブチケットを取得し、取得したジョブチケットから裁断情報を取得し、取得した裁断情報に基づいて、製本時に裁断される領域を非視認領域として判定する。そして、判定した非視認領域をフラッシング領域として設定し、設定したフラッシング領域に対してフラッシングを行う。【選択図】図１
2007290221.tif 000002
【特許請求の範囲】
【請求項１】
ノズルからインクを吐出して印刷媒体に印刷を行う印刷装置の、前記ノズルのフラッシングを行うのを支援するノズルフラッシング支援システムであって、
製本印刷の印刷仕様を含む印刷仕様情報を取得する印刷仕様情報取得手段と、前記印刷仕様情報取得手段で取得した印刷仕様情報に基づいて、前記印刷媒体の領域のうち製本後に視認不能または視認困難となる非視認領域を判定する非視認領域判定手段と、前記非視認領域判定手段で判定した非視認領域を、前記ノズルのフラッシングを行うフラッシング領域として設定するフラッシング領域設定手段とを備えることを特徴とするノズルフラッシング支援システム。
【請求項２】
請求項１において、
さらに、前記フラッシング領域設定手段で設定したフラッシング領域に対して前記ノズルのフラッシングを行うフラッシング手段を備えることを特徴とするノズルフラッシング支援システム。
【請求項３】
請求項１および２のいずれか１項において、
前記印刷仕様情報は、前記印刷媒体を裁断する位置を示す裁断情報を含み、
前記非視認領域判定手段は、前記裁断情報に基づいて、前記印刷媒体の領域のうち製本時に裁断される領域を前記非視認領域として判定することを特徴とするノズルフラッシング支援システム。
【請求項４】
請求項１および２のいずれか１項において、
前記印刷仕様情報は、面付けに関する面付情報を含み、
前記非視認領域判定手段は、前記面付情報に基づいて、前記印刷媒体の領域のうち製本時に裁断される領域を前記非視認領域として判定することを特徴とするノズルフラッシング支援システム。
【請求項５】
請求項１および２のいずれか１項において、
前記印刷仕様情報は、ノリ付けに関するノリ付情報を含み、
前記非視認領域判定手段は、前記ノリ付情報に基づいて、前記印刷媒体の領域のうち製本時にノリ付けされる領域を前記非視認領域として判定することを特徴とするノズルフラッシング支援システム。
【請求項６】
請求項１および２のいずれか１項において、
前記印刷仕様情報は、トンボの位置を示すトンボ情報を含み、
前記非視認領域判定手段は、前記トンボ情報に基づいて、前記印刷媒体の領域のうち製本時に裁断される領域を前記非視認領域として判定することを特徴とするノズルフラッシング支援システム。
【請求項７】
ノズルからインクを吐出して印刷媒体に印刷を行う印刷装置の、前記ノズルのフラッシングを行うのを支援するノズルフラッシング支援システムであって、
製本印刷を行うための印刷データを取得する印刷データ取得手段と、前記印刷データ取得手段で取得した印刷データに基づいて、前記印刷媒体の領域のうち製本後に視認不能または視認困難となる非視認領域を判定する非視認領域判定手段と、前記非視認領域判定手段で判定した非視認領域を、前記ノズルのフラッシングを行うフラッシング領域として設定するフラッシング領域設定手段とを備えることを特徴とするノズルフラッシング支援システム。
【請求項８】
ノズルからインクを吐出して印刷媒体に印刷を行う印刷装置の、前記ノズルのフラッシングを行うのを支援するノズルフラッシング支援プログラムであって、
製本印刷の印刷仕様を含む印刷仕様情報を取得する印刷仕様情報取得ステップと、前記印刷仕様情報取得ステップで取得した印刷仕様情報に基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとからなる処理をコンピュータに実行させるためのプログラムを含むことを特徴とするノズルフラッシング支援プログラム。
【請求項９】
ノズルからインクを吐出して印刷媒体に印刷を行う印刷装置の、前記ノズルのフラッシングを行うのを支援するノズルフラッシング支援プログラムであって、
製本印刷を行うための印刷データを取得する印刷データ取得ステップと、前記印刷データ取得ステップで取得した印刷データに基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとからなる処理をコンピュータに実行させるためのプログラムを含むことを特徴とするノズルフラッシング支援プログラム。
【請求項１０】
ノズルからインクを吐出して印刷媒体に印刷を行う印刷装置の、前記ノズルのフラッシングを行うのを支援するノズルフラッシング支援方法であって、
製本印刷の印刷仕様を含む印刷仕様情報を取得する印刷仕様情報取得ステップと、前記印刷仕様情報取得ステップで取得した印刷仕様情報に基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとを含むことを特徴とするノズルフラッシング支援方法。
【請求項１１】
ノズルからインクを吐出して印刷媒体に印刷を行う印刷装置の、前記ノズルのフラッシングを行うのを支援するノズルフラッシング支援方法であって、
製本印刷を行うための印刷データを取得する印刷データ取得ステップと、前記印刷データ取得ステップで取得した印刷データに基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとを含むことを特徴とするノズルフラッシング支援方法。
【発明の詳細な説明】
【技術分野】
【０００１】
本発明は、印刷装置のノズルのフラッシングを行うのを支援するシステムおよびプログラム、並びに方法に係り、特に、製本印刷を行う場合に、印刷用紙の選別作業を必要とせず、印刷物の見栄えを損なわずにフラッシングを行うことができるノズルフラッシング支援システムおよびノズルフラッシング支援プログラム、並びにノズルフラッシング支援方法に関する。
【背景技術】
【０００２】
インクジェットプリンタは、一般に安価でかつ高品質のカラー印刷物が容易に得られることから、パーソナルコンピュータやデジタルカメラなどの普及に伴い、オフィスのみならず一般ユーザにも広く普及してきている。インクジェットプリンタは、インクカートリッジおよび印字ヘッドを一体に備えるキャリッジが印刷媒体上をその送出方向と交差する方向に往復しながら印字ヘッドのノズルからインクを吐出して印刷媒体に微小なドットを形成することで、印刷媒体に文字や画像を形成する。
【０００３】
インクジェットプリンタでは、印字に使用しないノズルが外気に晒されて放置されるとノズル近傍のインクが乾燥し、吐出が不安定になる可能性がある。そのため、例えば、定期的に印字領域外にインクを吐出し、乾燥を防止する回復処理を行う必要がある。このようなノズル回復処理をフラッシングと呼んでいるが、複数枚の印刷媒体に対して連続印刷を行う場合であっても、印字に使用しないノズルは存在するのでフラッシングは必要となる。
【０００４】
従来、ノズルのフラッシングを行う技術としては、例えば、特許文献１〜３記載の技術が知られている。
特許文献１記載の発明は、印刷媒体であるロール紙上にフラッシングを行い、フラッシングを行った部分の前後を切断し、印刷媒体の切断された部分を収納するものである。
特許文献２記載の発明は、印刷媒体に対向する位置にてフラッシングを行うものである。
【０００５】
特許文献３記載の発明は、印刷媒体の領域のうち印刷を行わない非印刷領域にフラッシングを行うものである。
【特許文献１】特開平３−２９５６６３号公報
【特許文献２】特開平６−１５８１５号公報
【特許文献３】特開２００４−２９１４８３号公報
【発明の開示】
【発明が解決しようとする課題】
【０００６】
ところで、製本印刷を行う場合、最終成果物である印刷物の印刷仕様に関する情報を印刷仕様電子ジョブチケットとして記録しておき、印刷仕様電子ジョブチケットを解釈してオペレータが適切な印刷設定を決定し、決定した印刷設定に基づいて印刷を行う。
製本印刷を行う際も、印刷内容によっては印字に使用しないノズルが存在するのでフラッシングが必要となる。フラッシングを行う場合は、特許文献１〜３記載の発明を利用することができる。
【０００７】
しかしながら、特許文献１記載の発明にあっては、印刷仕様にかかわらずフラッシングを行い、フラッシングを行った部分の前後を切断するため、切断しても差し支えない印刷用紙を選別する必要があり、作業が煩雑である。
また、特許文献２、３記載の発明にあっては、印刷媒体の非印刷領域等にフラッシングを行うが、非印刷領域等であっても製本後に視認可能な領域（例えば、ページ領域内）となる場合があり、その場合は、フラッシングを行った領域が人目につき、見栄えを損なうという問題があった。
【０００８】
そこで、本発明は、このような従来の技術の有する未解決の課題に着目してなされたものであって、製本印刷を行う場合に、印刷用紙の選別作業を必要とせず、印刷物の見栄えを損なわずにフラッシングを行うことができるノズルフラッシング支援システムおよびノズルフラッシング支援プログラム、並びにノズルフラッシング支援方法を提供することを目的としている。
【課題を解決するための手段】
【０００９】
〔形態１〕  上記目的を達成するために、形態１のノズルフラッシング支援システムは、
ノズルからインクを吐出して印刷媒体に印刷を行う印刷装置の、前記ノズルのフラッシングを行うのを支援するノズルフラッシング支援システムであって、
製本印刷の印刷仕様を含む印刷仕様情報を取得する印刷仕様情報取得手段と、前記印刷仕様情報取得手段で取得した印刷仕様情報に基づいて、前記印刷媒体の領域のうち製本後に視認不能または視認困難となる非視認領域を判定する非視認領域判定手段と、前記非視認領域判定手段で判定した非視認領域を、前記ノズルのフラッシングを行うフラッシング領域として設定するフラッシング領域設定手段とを備えることを特徴とする。
【００１０】
このような構成であれば、印刷仕様情報取得手段により、印刷仕様情報が取得され、非視認領域判定手段により、取得された印刷仕様情報に基づいて、印刷媒体の領域のうち製本後に視認不能または視認困難となる非視認領域が判定される。そして、フラッシング領域設定手段により、判定された非視認領域がフラッシング領域として設定される。
これにより、製本印刷の印刷仕様に基づいて、製本後に視認不能または視認困難となる非視認領域がフラッシング領域として設定されるので、製本印刷に際してフラッシングを行う場合に、従来に比して、印刷用紙の選別作業が不要となり、印刷物の見栄えを損なう可能性を低減することができるという効果が得られる。
【００１１】
ここで、印刷仕様情報としては、例えば、裁断の位置、トンボの位置、面付けおよびノリ付けに関する情報のほか、仕上用紙サイズ、印刷媒体の種類、折り方および断裁方法、綴じ位置、綴じ方、印刷部数、両面印刷、印刷対象となる文書データおよびページ、並びに使用するインクに関する情報が含まれる。以下、形態８のノズルフラッシング支援プログラム、および形態１５のノズルフラッシング支援方法において同じである。
【００１２】
また、印刷仕様情報取得手段は、印刷仕様情報を取得するようになっていればどのような構成であってもよく、例えば、入力装置等から印刷仕様情報を入力してもよいし、外部の装置等から印刷仕様情報を獲得または受信してもよいし、記憶装置や記憶媒体等から印刷仕様情報を読み出してもよい。したがって、取得には、少なくとも入力、獲得、受信および読出が含まれる。以下、取得の概念については同じである。
【００１３】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、形態７のノズルフラッシング支援システムにおいて同じである。
【００１４】
〔形態２〕  さらに、形態２のノズルフラッシング支援システムは、形態１のノズルフラッシング支援システムにおいて、
さらに、前記フラッシング領域設定手段で設定したフラッシング領域に対して前記ノズルのフラッシングを行うフラッシング手段を備えることを特徴とする。
このような構成であれば、フラッシング手段により、設定されたフラッシング領域に対してフラッシングが行われる。
【００１５】
〔形態３〕  さらに、形態３のノズルフラッシング支援システムは、形態１および２のいずれか１のノズルフラッシング支援システムにおいて、
前記印刷仕様情報は、前記印刷媒体を裁断する位置を示す裁断情報を含み、
前記非視認領域判定手段は、前記裁断情報に基づいて、前記印刷媒体の領域のうち製本時に裁断される領域を前記非視認領域として判定することを特徴とする。
【００１６】
このような構成であれば、非視認領域判定手段により、裁断情報に基づいて、印刷媒体の領域のうち製本時に裁断される領域が非視認領域として判定される。
これにより、製本時に裁断される領域がフラッシング領域として設定されるので、印刷物の見栄えを損なう可能性をさらに低減することができるという効果が得られる。
【００１７】
〔形態４〕  さらに、形態４のノズルフラッシング支援システムは、形態１および２のいずれか１のノズルフラッシング支援システムにおいて、
前記印刷仕様情報は、面付けに関する面付情報を含み、
前記非視認領域判定手段は、前記面付情報に基づいて、前記印刷媒体の領域のうち製本時に裁断される領域を前記非視認領域として判定することを特徴とする。
このような構成であれば、非視認領域判定手段により、面付情報に基づいて、印刷媒体の領域のうち製本時に裁断される領域が非視認領域として判定される。
これにより、製本時に裁断される領域がフラッシング領域として設定されるので、印刷物の見栄えを損なう可能性をさらに低減することができるという効果が得られる。
【００１８】
〔形態５〕  さらに、形態５のノズルフラッシング支援システムは、形態１および２のいずれか１のノズルフラッシング支援システムにおいて、
前記印刷仕様情報は、ノリ付けに関するノリ付情報を含み、
前記非視認領域判定手段は、前記ノリ付情報に基づいて、前記印刷媒体の領域のうち製本時にノリ付けされる領域を前記非視認領域として判定することを特徴とする。
このような構成であれば、非視認領域判定手段により、ノリ付情報に基づいて、印刷媒体の領域のうち製本時にノリ付けされる領域が非視認領域として判定される。
これにより、製本時にノリ付けされる領域がフラッシング領域として設定されるので、印刷物の見栄えを損なう可能性をさらに低減することができるという効果が得られる。
【００１９】
〔形態６〕  さらに、形態６のノズルフラッシング支援システムは、形態１および２のいずれか１のノズルフラッシング支援システムにおいて、
前記印刷仕様情報は、トンボの位置を示すトンボ情報を含み、
前記非視認領域判定手段は、前記トンボ情報に基づいて、前記印刷媒体の領域のうち製本時に裁断される領域を前記非視認領域として判定することを特徴とする。
このような構成であれば、非視認領域判定手段により、トンボ情報に基づいて、印刷媒体の領域のうち製本時に裁断される領域が非視認領域として判定される。
これにより、製本時に裁断される領域がフラッシング領域として設定されるので、印刷物の見栄えを損なう可能性をさらに低減することができるという効果が得られる。
【００２０】
〔形態７〕  さらに、形態７のノズルフラッシング支援システムは、
ノズルからインクを吐出して印刷媒体に印刷を行う印刷装置の、前記ノズルのフラッシングを行うのを支援するノズルフラッシング支援システムであって、
製本印刷を行うための印刷データを取得する印刷データ取得手段と、前記印刷データ取得手段で取得した印刷データに基づいて、前記印刷媒体の領域のうち製本後に視認不能または視認困難となる非視認領域を判定する非視認領域判定手段と、前記非視認領域判定手段で判定した非視認領域を、前記ノズルのフラッシングを行うフラッシング領域として設定するフラッシング領域設定手段とを備えることを特徴とする。
【００２１】
このような構成であれば、印刷データ取得手段により、印刷データが取得され、非視認領域判定手段により、取得された印刷データに基づいて、印刷媒体の領域のうち製本後に視認不能または視認困難となる非視認領域が判定される。そして、フラッシング領域設定手段により、判定された非視認領域がフラッシング領域として設定される。
これにより、製本印刷を行うための印刷データに基づいて、製本後に視認不能または視認困難となる非視認領域がフラッシング領域として設定されるので、製本印刷に際してフラッシングを行う場合に、従来に比して、印刷用紙の選別作業が不要となり、印刷物の見栄えを損なう可能性を低減することができるという効果が得られる。
【００２２】
〔形態８〕  一方、上記目的を達成するために、形態８のノズルフラッシング支援プログラムは、
ノズルからインクを吐出して印刷媒体に印刷を行う印刷装置の、前記ノズルのフラッシングを行うのを支援するノズルフラッシング支援プログラムであって、
製本印刷の印刷仕様を含む印刷仕様情報を取得する印刷仕様情報取得ステップと、前記印刷仕様情報取得ステップで取得した印刷仕様情報に基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとからなる処理をコンピュータに実行させるためのプログラムを含むことを特徴とする。
【００２３】
このような構成であれば、コンピュータによってプログラムが読み取られ、読み取られたプログラムに従ってコンピュータが処理を実行すると、形態１のノズルフラッシング支援システムと同等の作用および効果が得られる。
【００２４】
〔形態９〕  さらに、形態９のノズルフラッシング支援プログラムは、形態８のノズルフラッシング支援プログラムにおいて、
さらに、前記フラッシング領域設定ステップで設定したフラッシング領域に対して前記ノズルのフラッシングを行うフラッシングステップからなる処理をコンピュータに実行させるためのプログラムを含むことを特徴とする。
このような構成であれば、コンピュータによってプログラムが読み取られ、読み取られたプログラムに従ってコンピュータが処理を実行すると、形態２のノズルフラッシング支援システムと同等の作用および効果が得られる。
【００２５】
〔形態１０〕  さらに、形態１０のノズルフラッシング支援プログラムは、形態８および９のいずれか１のノズルフラッシング支援プログラムにおいて、
前記印刷仕様情報は、前記印刷媒体を裁断する位置を示す裁断情報を含み、
前記非視認領域判定ステップは、前記裁断情報に基づいて、前記印刷媒体の領域のうち製本時に裁断される領域を前記非視認領域として判定することを特徴とする。
このような構成であれば、コンピュータによってプログラムが読み取られ、読み取られたプログラムに従ってコンピュータが処理を実行すると、形態３のノズルフラッシング支援システムと同等の作用および効果が得られる。
【００２６】
〔形態１１〕  さらに、形態１１のノズルフラッシング支援プログラムは、形態８および９のいずれか１のノズルフラッシング支援プログラムにおいて、
前記印刷仕様情報は、面付けに関する面付情報を含み、
前記非視認領域判定ステップは、前記面付情報に基づいて、前記印刷媒体の領域のうち製本時に裁断される領域を前記非視認領域として判定することを特徴とする。
このような構成であれば、コンピュータによってプログラムが読み取られ、読み取られたプログラムに従ってコンピュータが処理を実行すると、形態４のノズルフラッシング支援システムと同等の作用および効果が得られる。
【００２７】
〔形態１２〕  さらに、形態１２のノズルフラッシング支援プログラムは、形態８および９のいずれか１のノズルフラッシング支援プログラムにおいて、
前記印刷仕様情報は、ノリ付けに関するノリ付情報を含み、
前記非視認領域判定ステップは、前記ノリ付情報に基づいて、前記印刷媒体の領域のうち製本時にノリ付けされる領域を前記非視認領域として判定することを特徴とする。
このような構成であれば、コンピュータによってプログラムが読み取られ、読み取られたプログラムに従ってコンピュータが処理を実行すると、形態５のノズルフラッシング支援システムと同等の作用および効果が得られる。
【００２８】
〔形態１３〕  さらに、形態１３のノズルフラッシング支援プログラムは、形態８および９のいずれか１のノズルフラッシング支援プログラムにおいて、
前記印刷仕様情報は、トンボの位置を示すトンボ情報を含み、
前記非視認領域判定ステップは、前記トンボ情報に基づいて、前記印刷媒体の領域のうち製本時に裁断される領域を前記非視認領域として判定することを特徴とする。
このような構成であれば、コンピュータによってプログラムが読み取られ、読み取られたプログラムに従ってコンピュータが処理を実行すると、形態６のノズルフラッシング支援システムと同等の作用および効果が得られる。
【００２９】
〔形態１４〕  さらに、形態１４のノズルフラッシング支援プログラムは、
ノズルからインクを吐出して印刷媒体に印刷を行う印刷装置の、前記ノズルのフラッシングを行うのを支援するノズルフラッシング支援プログラムであって、
製本印刷を行うための印刷データを取得する印刷データ取得ステップと、前記印刷データ取得ステップで取得した印刷データに基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとからなる処理をコンピュータに実行させるためのプログラムを含むことを特徴とする。
このような構成であれば、コンピュータによってプログラムが読み取られ、読み取られたプログラムに従ってコンピュータが処理を実行すると、形態７のノズルフラッシング支援システムと同等の作用および効果が得られる。
【００３０】
〔形態１５〕  一方、上記目的を達成するために、形態１５のノズルフラッシング支援方法は、
ノズルからインクを吐出して印刷媒体に印刷を行う印刷装置の、前記ノズルのフラッシングを行うのを支援するノズルフラッシング支援方法であって、
製本印刷の印刷仕様を含む印刷仕様情報を取得する印刷仕様情報取得ステップと、前記印刷仕様情報取得ステップで取得した印刷仕様情報に基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとを含むことを特徴とする。
これにより、形態１のノズルフラッシング支援システムと同等の効果が得られる。
【００３１】
〔形態１６〕  さらに、形態１６のノズルフラッシング支援方法は、形態１５のノズルフラッシング支援方法において、
さらに、前記フラッシング領域設定ステップで設定したフラッシング領域に対して前記ノズルのフラッシングを行うフラッシングステップを含むことを特徴とする。
これにより、形態２のノズルフラッシング支援システムと同等の効果が得られる。
【００３２】
〔形態１７〕  さらに、形態１７のノズルフラッシング支援方法は、形態１５および１６のいずれか１のノズルフラッシング支援方法において、
前記印刷仕様情報は、前記印刷媒体を裁断する位置を示す裁断情報を含み、
前記非視認領域判定ステップは、前記裁断情報に基づいて、前記印刷媒体の領域のうち製本時に裁断される領域を前記非視認領域として判定することを特徴とする。
これにより、形態３のノズルフラッシング支援システムと同等の効果が得られる。
【００３３】
〔形態１８〕  さらに、形態１８のノズルフラッシング支援方法は、形態１５および１６のいずれか１のノズルフラッシング支援方法において、
前記印刷仕様情報は、面付けに関する面付情報を含み、
前記非視認領域判定ステップは、前記面付情報に基づいて、前記印刷媒体の領域のうち製本時に裁断される領域を前記非視認領域として判定することを特徴とする。
これにより、形態４のノズルフラッシング支援システムと同等の効果が得られる。
【００３４】
〔形態１９〕  さらに、形態１９のノズルフラッシング支援方法は、形態１５および１６のいずれか１のノズルフラッシング支援方法において、
前記印刷仕様情報は、ノリ付けに関するノリ付情報を含み、
前記非視認領域判定ステップは、前記ノリ付情報に基づいて、前記印刷媒体の領域のうち製本時にノリ付けされる領域を前記非視認領域として判定することを特徴とする。
これにより、形態５のノズルフラッシング支援システムと同等の効果が得られる。
【００３５】
〔形態２０〕  さらに、形態２０のノズルフラッシング支援方法は、形態１５および１６のいずれか１のノズルフラッシング支援方法において、
前記印刷仕様情報は、トンボの位置を示すトンボ情報を含み、
前記非視認領域判定ステップは、前記トンボ情報に基づいて、前記印刷媒体の領域のうち製本時に裁断される領域を前記非視認領域として判定することを特徴とする。
これにより、形態６のノズルフラッシング支援システムと同等の効果が得られる。
【００３６】
〔形態２１〕  さらに、形態２１のノズルフラッシング支援方法は、
ノズルからインクを吐出して印刷媒体に印刷を行う印刷装置の、前記ノズルのフラッシングを行うのを支援するノズルフラッシング支援方法であって、
製本印刷を行うための印刷データを取得する印刷データ取得ステップと、前記印刷データ取得ステップで取得した印刷データに基づいて、前記印刷媒体の領域のうち製本後に視認不能または視認困難となる非視認領域を判定する非視認領域判定ステップと、前記非視認領域判定ステップで判定した非視認領域を、前記ノズルのフラッシングを行うフラッシング領域として設定するフラッシング領域設定ステップとを含むことを特徴とする。
これにより、形態７のノズルフラッシング支援システムと同等の効果が得られる。
【発明を実施するための最良の形態】
【００３７】
以下、本発明の第１の実施の形態を図面を参照しながら説明する。図１ないし図５は、本発明に係るノズルフラッシング支援システムおよびノズルフラッシング支援プログラム、並びにノズルフラッシング支援方法の第１の実施の形態を示す図である。
まず、本発明を適用するインクジェットプリンタ１００の機能概要を説明する。
図１は、インクジェットプリンタ１００の機能概要を示す機能ブロック図である。
【００３８】
インクジェットプリンタ１００は、図１に示すように、印刷に必要な機構からなるプリンタエンジン１０を有して構成されている。
プリンタエンジン１０は、インクを貯留するインクカートリッジと、複数のノズルを有し、インクカートリッジから供給されるインクをノズルから吐出する印字ヘッドと、インクカートリッジおよび印字ヘッドを一体に備えるキャリッジと、印刷用紙を送出する用紙送出部と、印刷用紙の送出方向と交差する方向にキャリッジを往復移動させるキャリッジ移動部と、印字ヘッド、用紙送出部およびキャリッジ移動部を制御する制御部とを有して構成されている。
【００３９】
インクジェットプリンタ１００は、さらに、製本印刷の印刷仕様を含むジョブチケットを取得するジョブチケット取得部１２と、ジョブチケット取得部１２で取得したジョブチケットに基づいて、印刷用紙の領域のうち製本後に視認不能または視認困難となる非視認領域を判定する非視認領域判定部１４とを有して構成されている。
【００４０】
インクジェットプリンタ１００は、さらに、非視認領域判定部１４で判定した非視認領域をフラッシング領域として設定するフラッシング領域設定部１６と、プリンタエンジン１０を制御し、フラッシング領域設定部１６で設定したフラッシング領域に対してフラッシングを行うフラッシング部１８とを有して構成されている。
インクジェットプリンタ１００は、さらに、印刷データを取得する印刷データ取得部２０と、印刷データ取得部２０で取得した印刷データに基づいてプリンタエンジン１０を制御して印刷を行う印刷部２２とを有して構成されている。
【００４１】
次に、インクジェットプリンタ１００の構成を説明する。
図２は、インクジェットプリンタ１００のハードウェア構成を示すブロック図である。
インクジェットプリンタ１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００４２】
Ｉ／Ｆ３８には、外部装置として、ヒューマンインターフェースとしてデータの入力および表示が可能なタッチパネル等からなる操作パネル４０と、データやテーブル等をファイルとして格納する記憶装置４２と、プリンタエンジン１０と、ネットワーク１９９に接続するための信号線とが接続されている。
次に、ジョブチケットのデータ構造を説明する。
【００４３】
図３は、ジョブチケットのデータ構造を示す図である。
ジョブチケットは、図３に示すように、所定の開始タグ（例えば、＜ジョブチケット＞）と終了タグ（例えば、＜/ジョブチケット＞）との間に、開始タグと終了タグとのタグセットを入れ子状に記述することにより印刷仕様を設定する。
図３の例では、「印刷」のタグセットにより印刷処理が、「裁断」のタグセットにより裁断処理が記述されている。印刷処理に関する情報としては、印刷用紙サイズ、印刷領域サイズおよび印刷データが設定されている。また、裁断処理に関する裁断情報としては、上下左右の各裁断位置が設定されている。
【００４４】
次に、ＣＰＵ３０で実行する処理を説明する。
ＣＰＵ３０は、マイクロプロセッシングユニット等からなり、ＲＯＭ３２の所定領域に格納されている所定のプログラムを起動させ、そのプログラムに従って、図４のフローチャートに示す印刷制御処理を実行する。
図４は、印刷制御処理を示すフローチャートである。
【００４５】
印刷制御処理は、ジョブチケットおよび印刷データに基づいてプリンタエンジン１０を制御する処理であって、ＣＰＵ３０において実行されると、図４に示すように、まず、ステップＳ１００に移行する。
ステップＳ１００では、ネットワーク１９９を介して印刷要求を受信したか否かを判定し、印刷要求を受信したと判定したとき(Yes)は、ステップＳ１０２に移行するが、そうでないと判定したとき(No)は、印刷要求を受信するまでステップＳ１００で待機する。
ステップＳ１０２では、ネットワーク１９９を介してジョブチケットを受信し、ステップＳ１０４に移行して、ネットワーク１９９を介して印刷データを受信し、ステップＳ１０６に移行する。
【００４６】
ステップＳ１０６では、受信したジョブチケットに裁断処理が設定されているか否かを判定し、裁断処理が設定されていると判定したとき(Yes)は、ステップＳ１０８に移行して、上下左右の各裁断位置を示す裁断情報を、受信したジョブチケットから取得し、ステップＳ１１０に移行する。
ステップＳ１１０では、取得した裁断情報に基づいて、印刷用紙の領域のうち製本時に裁断される領域を非視認領域として判定する。
【００４７】
図５は、裁断情報に基づいて非視認領域を判定する場合を示す図である。
ジョブチケットが図３の内容である場合、上下左右の各裁断位置は、「１６mm」、「１６mm」、「３２mm」および「３３mm」である。製本時には、これら裁断位置で印刷用紙が裁断されるため、裁断位置よりも外側の領域は、裁断により破棄される。そのため、裁断位置よりも外側の領域に対してフラッシングを行えば、製本印刷の最終成果物である印刷物にフラッシングパターン（フラッシングのための印字パターン）が残ることはない。そこで、裁断位置よりも外側の領域を非視認領域として判定する。ただし、誤差等の影響により裁断時に実際の裁断位置が目標の裁断位置からずれる可能性があるので、非視認領域は、図５に示すように、各裁断位置から所定長（３mm程度）外側にマージンを設け、マージンを除いた領域とする。
【００４８】
次いで、ステップＳ１１２に移行して、判定した非視認領域をフラッシング領域として設定し、ステップＳ１１４に移行して、受信したジョブチケットおよび印刷データに基づいてプリンタエンジン１０を制御して印刷を行うとともに、フラッシング領域に対して所定のフラッシングパターンを印刷することによりフラッシングを行う印刷・フラッシング処理を実行し、一連の処理を終了して元の処理に復帰させる。
【００４９】
一方、ステップＳ１０６で、ジョブチケットに裁断処理が設定されていないと判定したとき(No)は、ステップＳ１１６に移行して、受信したジョブチケットおよび印刷データに基づいてプリンタエンジン１０を制御して印刷を行う印刷処理を実行し、一連の処理を終了して元の処理に復帰させる。
次に、本実施の形態の動作を説明する。
【００５０】
インクジェットプリンタ１００では、印刷要求を受信すると、ステップＳ１０２、Ｓ１０４を経て、ジョブチケットおよび印刷データを受信する。ジョブチケットに裁断処理が設定されている場合は、ステップＳ１０８〜Ｓ１１２を経て、ジョブチケットから裁断情報が取得され、取得された裁断情報に基づいて非視認領域として判定され、非視認領域がフラッシング領域として設定される。そして、ステップＳ１１４を経て、ジョブチケットおよび印刷データに基づいて印刷が行われるとともに、フラッシング領域に対してフラッシングが行われる。
【００５１】
印刷が終了すると、印刷用紙は、裁断位置で裁断されるので、フラッシングを行った部分は破棄され、裁断位置よりも内側の領域のみが製本工程に用いられる。そのため、製本印刷の最終成果物である印刷物にはフラッシングパターンは残らない。
一方、ジョブチケットに裁断処理が設定されていない場合は、ステップＳ１１６を経て、フラッシングは行われず、ジョブチケットおよび印刷データに基づいて印刷が行われる。
【００５２】
このようにして、本実施の形態では、裁断情報を含むジョブチケットを取得し、取得したジョブチケットから裁断情報を取得し、取得した裁断情報に基づいて、製本時に裁断される領域を非視認領域として判定し、判定した非視認領域をフラッシング領域として設定し、設定したフラッシング領域に対してフラッシングを行う。
これにより、製本時に裁断される領域がフラッシング領域として設定されるので、従来に比して、用紙の選別作業が不要となり、印刷物の見栄えを損なう可能性を低減することができる。
【００５３】
上記第１の実施の形態において、インクジェットプリンタ１００は、形態１、８または１５の印刷装置に対応し、ジョブチケット取得部１２およびステップＳ１０２は、形態１の印刷仕様情報取得手段に対応し、ステップＳ１０２は、形態８または１５の印刷仕様情報取得ステップに対応している。また、非視認領域判定部１４およびステップＳ１１０は、形態１または３の非視認領域判定手段に対応し、ステップＳ１１０は、形態８、１０、１５または１７の非視認領域判定ステップに対応し、フラッシング領域設定部１６およびステップＳ１１２は、形態１または２のフラッシング領域設定手段に対応している。
【００５４】
また、上記第１の実施の形態において、ステップＳ１１２は、形態８、９、１５または１６のフラッシング領域設定ステップに対応し、フラッシング部１８およびステップＳ１１４は、形態２のフラッシング手段に対応し、ステップＳ１１４は、形態９または１６のフラッシングステップに対応している。また、ジョブチケットは、形態１、３、８、１０、１５または１７の印刷仕様情報に対応し、印刷用紙は、形態１、３、８、１０、１５または１７の印刷媒体に対応している。
【００５５】
次に、本発明の第２の実施の形態を図面を参照しながら説明する。図６ないし図９は、本発明に係るノズルフラッシング支援システムおよびノズルフラッシング支援プログラム、並びにノズルフラッシング支援方法の第２の実施の形態を示す図である。
本実施の形態は、上記第１の実施の形態に対して、ジョブチケットを用いず、印刷データに基づいて非視認領域を判定する点が異なる。なお、以下、上記第１の実施の形態と異なる部分についてのみ説明し、上記第１の実施の形態と重複する部分については同一の符号を付して説明を省略する。
【００５６】
まず、本発明を適用するインクジェットプリンタ１００の機能概要を説明する。
図６は、インクジェットプリンタ１００の機能概要を示す機能ブロック図である。
インクジェットプリンタ１００は、図６に示すように、プリンタエンジン１０、フラッシング領域設定部１６、フラッシング部１８および印刷部２２のほか、製本印刷を行うための印刷データを取得する印刷データ取得部２４と、印刷データ取得部２４で取得した印刷データに基づいて非視認領域を判定する非視認領域判定部２６とを有して構成されている。
【００５７】
次に、ＣＰＵ３０で実行する処理を説明する。
ＣＰＵ３０は、図４の印刷制御処理に代えて、図７のフローチャートに示す印刷制御処理を実行する。
図７は、印刷制御処理を示すフローチャートである。
印刷制御処理は、印刷データに基づいてプリンタエンジン１０を制御する処理であって、ＣＰＵ３０において実行されると、図７に示すように、まず、ステップＳ２００に移行する。
【００５８】
ステップＳ２００では、ネットワーク１９９を介して印刷要求を受信したか否かを判定し、印刷要求を受信したと判定したとき(Yes)は、ステップＳ２０２に移行するが、そうでないと判定したとき(No)は、印刷要求を受信するまでステップＳ２００で待機する。
ステップＳ２０２では、ネットワーク１９９を介して、製本印刷を行うための印刷データを受信し、ステップＳ２０４に移行する。
【００５９】
ステップＳ２０４では、受信した印刷データにトンボが設定されているか否かを判定し、トンボが設定されていると判定したとき(Yes)は、ステップＳ２０６に移行して、トンボの位置を示すトンボ情報を、受信した印刷データから取得し、ステップＳ２０８に移行する。
ステップＳ２０８では、取得したトンボ情報に基づいて、印刷用紙の領域のうち製本時に裁断される領域を非視認領域として判定する。
【００６０】
図８は、トンボ情報に基づいて非視認領域を判定する場合を示す図である。
印刷データには、図８に示すように、裁断の基準となるトンボが設定されている。同図（ａ）の例では、点線がトンボを示している。製本時には、トンボの位置で印刷用紙が裁断されるため、トンボの位置よりも外側の領域は、裁断により破棄される。そのため、トンボの位置よりも外側の領域に対してフラッシングを行えば、製本印刷の最終成果物である印刷物にフラッシングパターンが残ることはない。そこで、トンボの位置よりも外側の領域を非視認領域として判定する。ただし、誤差等の影響により裁断時に実際の裁断位置が目標の裁断位置からずれる可能性があるので、同図（ａ）の場合、非視認領域は、トンボの位置から所定長（３mm程度）外側にマージンを設け、マージンを除いた領域とする。
【００６１】
同図（ｂ）の例では、四隅に記された十字の線がトンボを示している。この場合も、誤差等の影響により裁断時に実際の裁断位置が目標の裁断位置からずれる可能性があるので、非視認領域は、各トンボの位置から所定長（３mm程度）外側にマージンを設け、マージンを除いた領域とする。
【００６２】
同図（ｃ）の例では、四隅に記された十字の線が第１トンボを、その外側に記されたＬ字の線が第２トンボを示している。この場合も、誤差等の影響により裁断時に実際の裁断位置が目標の裁断位置からずれる可能性があるので、非視認領域は、第２トンボの位置よりも外側の領域とする。
次いで、ステップＳ２１０に移行して、判定した非視認領域をフラッシング領域として設定し、ステップＳ２１２に移行する。
【００６３】
図９は、フラッシングパターンを印刷した状態を示す図である。
ステップＳ２１２では、受信した印刷データに基づいてプリンタエンジン１０を制御して印刷を行うとともに、図９に示すように、フラッシング領域に対して所定のフラッシングパターンを印刷することによりフラッシングを行う印刷・フラッシング処理を実行し、一連の処理を終了して元の処理に復帰させる。
一方、ステップＳ２０４で、印刷データにトンボが設定されていないと判定したとき(No)は、ステップＳ２１４に移行して、受信した印刷データに基づいてプリンタエンジン１０を制御して印刷を行う印刷処理を実行し、一連の処理を終了して元の処理に復帰させる。
【００６４】
次に、本実施の形態の動作を説明する。
インクジェットプリンタ１００では、印刷要求を受信すると、ステップＳ２０２を経て、製本印刷を行うための印刷データを受信する。印刷データにトンボが設定されている場合は、ステップＳ２０６〜Ｓ２１０を経て、印刷データからトンボ情報が取得され、取得されたトンボ情報に基づいて非視認領域として判定され、非視認領域がフラッシング領域として設定される。そして、ステップＳ２１２を経て、印刷データに基づいて印刷が行われるとともに、フラッシング領域に対してフラッシングが行われる。
【００６５】
印刷が終了すると、印刷用紙は、トンボの位置で裁断されるので、フラッシングを行った部分は破棄され、トンボの位置よりも内側の領域のみが製本工程に用いられる。そのため、製本印刷の最終成果物である印刷物にはフラッシングパターンは残らない。
一方、印刷データにトンボが設定されていない場合は、ステップＳ２１４を経て、フラッシングは行われず、印刷データに基づいて印刷が行われる。
【００６６】
このようにして、本実施の形態では、トンボが設定された印刷データを取得し、取得した印刷データからトンボ情報を取得し、取得したトンボ情報に基づいて、製本時に裁断される領域を非視認領域として判定し、判定した非視認領域をフラッシング領域として設定し、設定したフラッシング領域に対してフラッシングを行う。
これにより、製本時に裁断される領域がフラッシング領域として設定されるので、従来に比して、用紙の選別作業が不要となり、印刷物の見栄えを損なう可能性を低減することができる。
【００６７】
上記第２の実施の形態において、インクジェットプリンタ１００は、形態７、１４または２１の印刷装置に対応し、印刷データ取得部２４およびステップＳ２０２は、形態７の印刷データ取得手段に対応し、ステップＳ２０２は、形態１４または２１の印刷データ取得ステップに対応している。また、非視認領域判定部２６およびステップＳ２０８は、形態７の非視認領域判定手段に対応し、ステップＳ２０８は、形態１４または２１の非視認領域判定ステップに対応し、フラッシング領域設定部１６およびステップＳ２１０は、形態７のフラッシング領域設定手段に対応している。
【００６８】
また、上記第２の実施の形態において、ステップＳ２１０は、形態１４または２１のフラッシング領域設定ステップに対応し、印刷用紙は、形態７、１４または２１の印刷媒体に対応している。
なお、上記第１の実施の形態においては、裁断情報を含むジョブチケットを取得し、取得したジョブチケットから裁断情報を取得し、取得した裁断情報に基づいて、製本時に裁断される領域を非視認領域として判定するように構成したが、これに限らず、面付けに関する面付情報、ノリ付けに関するノリ付情報またはトンボ情報を含むジョブチケットを利用して非視認領域として判定するように構成することもできる。
【００６９】
まず、面付情報を含むジョブチケットを利用する構成を説明する。
図１０は、ジョブチケットのデータ構造を示す図である。
ジョブチケットは、図１０に示すように、所定の開始タグと終了タグとの間に、開始タグと終了タグとのタグセットを入れ子状に記述することにより印刷仕様を設定する。
図１０の例では、「製本」のタグセットにより綴じ方が、「製本方向」のタグセットにより綴じ方向が、「印刷データ」のタグセットにより印刷データのファイルが、「印刷データページ数」のタグセットにより面付け数が、「仕上用紙サイズ」のタグセットにより仕上用紙サイズが記述されている。
【００７０】
ステップＳ１０６では、綴じ方、綴じ方向、面付け数および仕上用紙サイズを示す面付情報がジョブチケットに設定されているか否かを判定し、面付情報が設定されていると判定したとき(Yes)は、ステップＳ１０８に移行して、ジョブチケットから面付情報を取得し、ステップＳ１１０に移行する。
ステップＳ１１０では、取得した面付情報に基づいて、印刷用紙の領域のうち製本時に裁断される領域を非視認領域として判定する。
【００７１】
図１１は、面付情報に基づいて非視認領域を判定する場合を示す図である。
ジョブチケットが図１０の内容である場合、図１１に示すように、印刷用紙の表面に対して８ページ、裏面に対して８ページ、両面で合計１６ページを割り付けることが設定されている。また、綴じ方が「中綴じ」であるので、２ページずつ隣接して配置される。このとき、隣接する２ページをセットとして、各ページセット間には裁断のための余白領域が設定される。この余白領域は、裁断により破棄される。そのため、余白領域に対してフラッシングを行えば、製本印刷の最終成果物である印刷物にフラッシングパターンが残ることはない。そこで、余白領域を非視認領域として判定する。
【００７２】
なお、上記第１の実施の形態のように、裁断誤差を考慮し、非視認領域は、各ページセットの境界位置から所定長（３mm程度）外側にマージンを設け、マージンを除いた領域としてもよい。
このような構成であっても、上記第１の実施の形態と同等の効果が得られる。
この場合において、非視認領域判定部１４およびステップＳ１１０は、形態４の非視認領域判定手段に対応し、ステップＳ１１０は、形態１１または１８の非視認領域判定ステップに対応している。
【００７３】
次に、ノリ付情報を含むジョブチケットを利用する構成を説明する。
図１２は、ジョブチケットのデータ構造を示す図である。
ジョブチケットは、図１２に示すように、所定の開始タグと終了タグとの間に、開始タグと終了タグとのタグセットを入れ子状に記述することにより印刷仕様を設定する。
図１２の例では、「仕上用紙サイズ」のタグセットにより仕上用紙サイズが、「ノリ付け」のタグセットによりノリ付けに関する設定が、「本文」のタグセットにより本文に関する設定が、「表」のタグセットにより本文の表表紙に関する設定が、「裏」のタグセットにより本文の裏表紙に関する設定が、「背」のタグセットにより折り曲げ部を挟んで表表紙と裏表紙の間に位置する本文の背面に関する設定が、「ノリ付け領域」のタグセットによりノリ付け領域の横幅および縦幅が記述されている。
【００７４】
ステップＳ１０６では、ノリ付けの箇所並びにノリ付け領域の横幅および縦幅を示すノリ付情報がジョブチケットに設定されているか否かを判定し、ノリ付情報が設定されていると判定したとき(Yes)は、ステップＳ１０８に移行して、ジョブチケットからノリ付情報を取得し、ステップＳ１１０に移行する。
ステップＳ１１０では、取得したノリ付情報に基づいて、印刷用紙の領域のうち製本時にノリ付けされる領域を非視認領域として判定する。
【００７５】
図１３は、ノリ付情報に基づいて非視認領域を判定する場合を示す図である。
ジョブチケットが図１２の内容である場合、図１３に示すように、本文の外面（表表紙、背面および裏表紙）がノリ付け領域として設定され、本文の外面とカバーの内面がノリ付けされる。本文の外面は、ノリ付けにより隠蔽される。そのため、本文の外面に対してフラッシングを行えば、製本印刷の最終成果物である印刷物にフラッシングパターンが現れることはない。そこで、本文の外面を非視認領域として判定する。
【００７６】
なお、上記第１の実施の形態のように、ノリ付け誤差を考慮し、非視認領域は、本文の外面の辺から所定長（３mm程度）内側にマージンを設け、マージンを除いた領域としてもよい。
このような構成であっても、上記第１の実施の形態と同等の効果が得られる。
この場合において、非視認領域判定部１４およびステップＳ１１０は、形態５の非視認領域判定手段に対応し、ステップＳ１１０は、形態１２または１９の非視認領域判定ステップに対応している。
【００７７】
次に、トンボ情報を含むジョブチケットを利用する構成を説明する。
ジョブチケットには、図８に示すようなトンボの位置を示すトンボ情報が含まれている。
ステップＳ１０６では、トンボ情報がジョブチケットに設定されているか否かを判定し、トンボ情報が設定されていると判定したとき(Yes)は、ステップＳ１０８に移行して、ジョブチケットからトンボ情報を取得し、ステップＳ１１０に移行する。
【００７８】
ステップＳ１１０では、取得したトンボ情報に基づいて、印刷用紙の領域のうち製本時に裁断される領域を非視認領域として判定する。
製本時には、トンボの位置で印刷用紙が裁断されるため、トンボの位置よりも外側の領域は、裁断により破棄される。そのため、トンボの位置よりも外側の領域に対してフラッシングを行えば、製本印刷の最終成果物である印刷物にフラッシングパターンが残ることはない。そこで、トンボの位置よりも外側の領域を非視認領域として判定する。
【００７９】
なお、上記第１の実施の形態のように、裁断誤差を考慮し、非視認領域は、トンボの位置から所定長（３mm程度）外側にマージンを設け、マージンを除いた領域としてもよい。
このような構成であっても、上記第１の実施の形態と同等の効果が得られる。
この場合において、非視認領域判定部１４およびステップＳ１１０は、形態６の非視認領域判定手段に対応し、ステップＳ１１０は、形態１３または２０の非視認領域判定ステップに対応している。
【００８０】
また、上記第１および第２の実施の形態においては、本発明に係るノズルフラッシング支援システムおよびノズルフラッシング支援プログラム、並びにノズルフラッシング支援方法をインクジェットプリンタ１００に適用したが、これに限らず、インクジェット１００を利用するホスト端末、またはインクジェットプリンタ１００を制御するプリントサーバにおける印刷制御プログラムやプリンタドライバに適用することもできる。具体的には、例えば、図１４に示すように構成することができる。
【００８１】
図１４は、インクジェットプリンタ１００を含むネットワークシステムの機能概要を示すブロック図である。
ネットワーク１９９には、図１４に示すように、インクジェットプリンタ１００と、インクジェットプリンタ１００を制御するプリントサーバ２００とが接続されている。
【００８２】
プリントサーバ２００は、ジョブチケット取得部１２、非視認領域判定部１４、フラッシング領域設定部１６および印刷データ取得部２０のほか、フラッシング領域設定部１６で設定したフラッシング領域を示すフラッシング領域情報を、印刷データ取得部２０で取得した印刷データに付加するフラッシング領域情報付加部２５と、フラッシング領域情報付加部２５でフラッシング領域情報を付加した印刷データをインクジェットプリンタ１００に送信する印刷データ送信部２７とを有して構成されている。ここで、ジョブチケット取得部１２、非視認領域判定部１４、フラッシング領域設定部１６、印刷データ取得部２０、フラッシング領域情報付加部２５および印刷データ送信部２７は、印刷制御プログラムまたはプリンタドライバを構成する。
【００８３】
インクジェットプリンタ１００は、プリンタエンジン１０、フラッシング部１８および印刷部２２のほか、印刷データを受信する印刷データ受信部２８を有して構成されている。
フラッシング部１８は、印刷データ受信部２８で受信した印刷データから不等シング領域情報を取得し、取得したフラッシング領域情報に基づいてプリンタエンジン１０を制御し、フラッシング領域に対してフラッシングを行う。
【００８４】
印刷部２２は、印刷データ受信部２８で受信した印刷データに基づいてプリンタエンジン１０を制御して印刷を行う。
また、上記第１および第２の実施の形態において、図４および図７のフローチャートに示す印刷制御処理を実行するにあたってはいずれも、ＲＯＭ３２にあらかじめ格納されている制御プログラムを実行する場合について説明したが、これに限らず、これらの手順を示したプログラムが記憶された記憶媒体から、そのプログラムをＲＡＭ３４に読み込んで実行するようにしてもよい。
【００８５】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００８６】
また、上記第１および第２の実施の形態においては、本発明に係るノズルフラッシング支援システムおよびノズルフラッシング支援プログラム、並びにノズルフラッシング支援方法を、製本印刷の印刷仕様を含むジョブチケットまたは製本印刷を行うための印刷データに基づいてフラッシングを行う場合について適用したが、これに限らず、本発明の主旨を逸脱しない範囲で他の場合にも適用可能である。
【図面の簡単な説明】
【００８７】
【図１】インクジェットプリンタ１００の機能概要を示す機能ブロック図である。
【図２】インクジェットプリンタ１００のハードウェア構成を示すブロック図である。
【図３】ジョブチケットのデータ構造を示す図である。
【図４】印刷制御処理を示すフローチャートである。
【図５】裁断情報に基づいて非視認領域を判定する場合を示す図である。
【図６】インクジェットプリンタ１００の機能概要を示す機能ブロック図である。
【図７】印刷制御処理を示すフローチャートである。
【図８】トンボ情報に基づいて非視認領域を判定する場合を示す図である。
【図９】フラッシングパターンを印刷した状態を示す図である。
【図１０】ジョブチケットのデータ構造を示す図である。
【図１１】面付情報に基づいて非視認領域を判定する場合を示す図である。
【図１２】ジョブチケットのデータ構造を示す図である。
【図１３】ノリ付情報に基づいて非視認領域を判定する場合を示す図である。
【図１４】インクジェットプリンタ１００を含むネットワークシステムの機能概要を示すブロック図である。
【符号の説明】
【００８８】
１００…インクジェットプリンタ、  １０…プリンタエンジン、  １２…ジョブチケット取得部、  １４、２６…非視認領域判定部、  １６…フラッシング領域設定部、  １８…フラッシング部、  ２０、２４…印刷データ取得部、  ２２…印刷部、  ２５…フラッシング領域情報付加部、  ２７…印刷データ送信部、  ２８…印刷データ受信部、  ３０…ＣＰＵ、  ３２…ＲＯＭ、  ３４…ＲＡＭ、  ３８…Ｉ／Ｆ、  ３９…バス、  ４０…操作パネル、  ４２…記憶装置、  １９９…ネットワーク
【図１】
2007290221.tif 000003
【図２】
2007290221.tif 000004
【図３】
2007290221.tif 000005
【図４】
2007290221.tif 000006
【図５】
2007290221.tif 000007
【図６】
2007290221.tif 000008
【図７】
2007290221.tif 000009
【図８】
2007290221.tif 000010
【図９】
2007290221.tif 000011
【図１０】
2007290221.tif 000012
【図１１】
2007290221.tif 000013
【図１２】
2007290221.tif 000014
【図１３】
2007290221.tif 000015
【図１４】
2007290221.tif 000016